(57)【要約】【課題】複数のディスプレイにおける画像の更新処理を行う際に、１つの制御回路、記憶回路を用いつつもゴーストの発生を十分に低減することができ、併せて、動作速度の維持も図ることができる電子表示装置及び電子表示方法を提供する。【解決手段】実施の形態における電子表示装置は、複数のディスプレイと、サブメモリと、制御回路とを備える。ディスプレイは、コンテンツを表示する。サブメモリは、ディスプレイに表示させる画像の画像情報を一時的に格納する。制御回路は、ディスプレイへの表示を制御する。また、制御回路は、ディスプレイに表示される画像の更新を行うに当たって、事前に、サブメモリに格納される画像情報を、現在更新対象となるディスプレイに表示されている画像の画像情報に書き換える。【選択図】図６
2019148671.tif 000002
【特許請求の範囲】
【請求項１】
コンテンツを表示する複数のディスプレイと、
前記ディスプレイに表示させる画像の画像情報を一時的に格納するサブメモリと、
前記ディスプレイへの表示を制御する制御回路と、を備え、
前記制御回路は、
前記ディスプレイに表示される前記画像の更新を行うに当たって、事前に、前記サブメモリに格納される前記画像情報を、現在更新対象となる前記ディスプレイに表示されている画像の画像情報に書き換えることを特徴とする電子表示装置。
【請求項２】
前記制御回路は、
前記ディスプレイに接続され前記ディスプレイに前記画像情報を送信する表示信号線をディセーブルの状態に維持した状態で、
前記サブメモリに格納されていた画像情報に基づく画像の反転表示処理を行い、前記サブメモリに格納された前記画像情報を現在更新対象となる前記ディスプレイに表示されている画像の画像情報に書き換え、表示することを特徴とする請求項１に記載の電子表示装置。
【請求項３】
前記制御回路は、前記反転表示処理及び前記サブメモリに格納された前記画像情報を現在更新対象となる前記ディスプレイに表示されている画像の画像情報に書き換え、表示する処理を行う際の画像の階調を、前記ディスプレイに前記画像情報に基づいて示される画像の階調よりも低くなるように制御することを特徴とする請求項２に記載の電子表示装置。
【請求項４】
前記制御回路は、前記サブメモリに格納される前記画像情報を、現在更新対象となる前記ディスプレイに表示されている画像の画像情報に書き換え、表示した後に、さらに更新後に前記ディスプレイに表示される画像の画像情報へ書き換えることを特徴とする請求項１ないし請求項３のいずれかに記載の電子表示装置。
【請求項５】
前記制御回路は、前記サブメモリに格納された更新後に前記ディスプレイに表示される画像情報に基づいて前記ディスプレイに前記画像を表示させる際に、前記ディスプレイに接続され前記ディスプレイに前記画像情報を送信する表示信号線を、ディセーブルの状態からイネーブルの状態に切り替えることを特徴とする請求項４に記載の電子表示装置。
【請求項６】
前記ディスプレイは、前記電子表示装置を左右に開いた状態において、左右それぞれの面に第１のディスプレイと第２のディスプレイとを備えることを特徴とする請求項１ないし請求項５のいずれかに記載の電子表示装置。
【請求項７】
前記第１のディスプレイ及び前記第２のディスプレイは、いずれも１つの前記制御回路によって制御されることを特徴とする請求項６に記載の電子表示装置。
【請求項８】
電子表示装置を構成するディスプレイに表示される画像を更新する際に、
サブメモリに格納されている画像情報に基づいて画像の反転表示処理を行うステップと、
サブメモリに格納されている前記画像情報を、現在更新対象となる前記ディスプレイに表示されている画像の画像情報に書き換えて格納し、表示するステップと、
書き換えられた前記現在更新対象となる前記ディスプレイに表示されている画像の画像情報を、さらに、更新後に前記ディスプレイに表示される画像の画像情報へ書き換えるステップと、
前記更新後に前記ディスプレイに表示される画像の画像情報に基づき前記ディスプレイの表示を新たな画像に更新するステップと、
を備えることを特徴とする電子表示方法。
【請求項９】
制御回路は、前記サブメモリに前記現在更新対象となる前記ディスプレイに表示されている画像の画像情報が格納され、表示されるステップと、書き換えられた前記現在更新対象となる前記ディスプレイに表示されている画像の画像情報を、さらに、更新後に前記ディスプレイに表示される画像の画像情報へ書き換えるステップとの間に、前記ディスプレイに接続され前記ディスプレイに前記画像情報を送信する表示信号線を、ディセーブルの状態からイネーブルの状態に切り替えるステップを含むことを特徴とする請求項８に記載の電子表示方法。
【発明の詳細な説明】
【技術分野】
【０００１】
本発明の実施の形態は、電子表示装置及び電子表示方法に関する。
【背景技術】
【０００２】
近年、電子情報となったコンテンツを表示させる電子ペーパー（電子表示装置）が普及してきている。また、コンテンツとしても、小説やエッセイといった文章や漫画等の絵等、様々なものが提供されている。また、特に電子書籍装置のように、軽量、小型なものもあり、携帯性に優れる。
【０００３】
一方で、このような電子表示装置においては、その表示の特性上、画像を更新した際に、直前に表示されていた画像が残像（ゴースト）として残ってしまう。ここで図１０は、ゴーストが発生した状態を説明するための説明図である。
【０００４】
図１０の説明図において、左右に２つ四角の枠で囲われた領域が示されており、それぞれの領域に図形が示されている。すなわち、これらの枠が「ディスプレイ」を示しており、枠の中の領域に示されている図形がディスプレイに表示された「画像」に該当する。図１０において左側に示すディスプレイには「顔」が示されている。一方、右側に示すディスプレイには「猫」が示されている。また、左側のディスプレイと右側のディスプレイの間には、右向きの矢印が示されている。すなわち、左側のディスプレイの画面が更新されて右側の画面に遷移した状態を示している。
【０００５】
ここで更新後のディスプレイである、右側のディスプレイを見てみると、表示されている「猫」の後に薄く左側のディスプレイにおいて表示されていた「顔」が表示されている。更新後のディスプレイに示されている「顔」がゴーストである。
【０００６】
このように、ゴーストは、本来更新後の画像のみが表示される領域に、当該更新後の画像の後に薄く表示されてしまう。そのため、更新後の画像の視認性が低下する。そこで、ゴーストの低減方法として、例えば、表示されている画像を一旦反転表示させた上で、ディスプレイに更新後の画像を表示させる方法が採用される。
【０００７】
図１１は、ゴーストの低減処理を説明する説明図である。図１１には、図１０に示した、それぞれ「顔」と「猫」が表示された２つのディスプレイが示されている。また、これら２つのディスプレイの間に、「顔」が反転した状態を示すディスプレイが示され、図１１には、合計３つのディスプレイが示されている。
【０００８】
また、「顔」のディスプレイ、「反転顔」のディスプレイ、「猫」のディスプレイのそれぞれの間に右向きの矢印が示されている。従って、図１１では、「顔」のディスプレイから「反転顔」のディスプレイ、「猫」のディスプレイへと順に画面が更新される。
【０００９】
さらに、「顔」のディスプレイと「猫」のディスプレイの左上には四角の枠が示されている。当該枠は、画像情報を格納している記憶回路を示している。例えば、「顔」のディスプレイの左上に示されている記憶回路には、「顔」の画像情報が格納されている。記憶回路に画像情報が格納されている状態は、記憶回路の右上に示す吹き出しの図形の中に「顔」が描かれていることで示されている。
【００１０】
次に具体的なゴーストの低減処理について説明する。現在ディスプレイには、「顔」の画像が表示されていることを前提とする。この場合、記憶回路には、「顔」の画像に関する画像情報が格納されており、この状態は図１１の左側の図に示されている。ここでディスプレイに「猫」の画像を表示させようとする。「猫」の画像をディスプレイに表示させるに当たっては、記憶回路に「猫」の画像情報を格納する必要がある。
【００１１】
そこで、ディスプレイに「猫」の画像を表示させるために、記憶回路に「猫」の画像情報を格納する処理とともに、元々記憶回路に格納されていた「顔」の画像情報を用いて、ディスプレイに表示されている顔の画像を反転表示させる。この状態が、図１１において示されている３つのディスプレイのうち、真ん中に示されている「反転顔」のディスプレイの状態である。
【００１２】
このように一旦反転処理を行って画像を更新することにより、右側のディスプレイに示されているように、ディスプレイに表示される「猫」の画像の後には、図１０に示す場合と異なり、「顔」の画像は表示されない。すなわち、ゴーストを低減することができる。なお、このように、ディスプレイに「猫」の画像が表示されている場合には、記憶回路には「猫」の画像情報が格納されている。
【００１３】
このようなゴーストの低減処理を実際の電子表示装置において行うと、例えば、次のようになる。図１２及び図１３は、電子書籍装置においてゴーストの低減処理を行う場合の処理の流れを示す模式図である。
【００１４】
特に、図１２では、２つのディスプレイに対して、これらのディスプレイを制御する制御回路が１つのみ設けられている場合を示している。すなわち、１つの制御回路が２つのディスプレイの更新の処理を行う。これに対して、図１３では、２つのディスプレイに対して、それぞれ１つずつ制御回路が設けられている場合を示している。すなわち、ディスプレイごとに更新の処理を行う制御回路が１つずつ設けられており、制御回路とディスプレイとが１対１の関係にある。
【００１５】
また、図１１と同様、電子書籍装置のディスプレイの上部には、記憶回路が示されている。記憶回路は、制御回路ごとに設けられていることから、制御回路の数に応じて、図１２では１つ、図１３では２つ示されている。
【００１６】
なお、図１２、図１３のいずれにおいても、電子書籍装置が開いた状態が示されている。見開きの状態にある電子書籍装置においては、左右に１つずつディスプレイが設けられている。電子書籍装置の操作者は、例えば、右側のページから左側のページへと読み進める。そこで、ここでは、２つのディスプレイのうち、右側のディスプレイを「第１のディスプレイ」とし、左側のディスプレイを「第２のディスプレイ」とする。
【００１７】
なお、ここでは、電子書籍装置の操作者は、右側のページから左側のページへと読み進めることを前提として以下説明を行う。すなわち、以下において説明されるディスプレイに対する画像の更新処理の順番は、右側のディスプレイ、左側のディスプレイの順となる。但し、電子書籍装置によっては、電子書籍装置の操作者が左側のページから右側のページへと読み進めることが可能とされている場合もある。この場合には、上述した画像の更新処理の順番が反対になって、左側のディスプレイ、右側のディスプレイの順となる。
【００１８】
また、ゴーストの低減処理の開始時点では、第１のディスプレイには「Ａ」が、第２のディスプレイには「Ｂ」が表示されている。そして、ゴーストの低減処理の終了時点では、第１のディスプレイには「Ｃ」が、第２のディスプレイには「Ｄ」が表示されていることを前提とする。すなわち、第１のディスプレイは「Ａ」の表示内容が「Ｃ」に更新され、第２のディスプレイにおいては「Ｂ」の表示内容が「Ｄ」に更新されることになる。
【００１９】
また、図１２及び図１３においては、上段に実際に電子書籍装置のディスプレイの表示が更新される様子（画面遷移）を示している。一方下段には、上段に示すディスプレイの表示が更新される間において行われるゴーストの低減処理について示している。
【００２０】
そして、更新処理の対象となるディスプレイについては破線で示し、更新処理の対象とはならないディスプレイについては実線で示している。また、各ディスプレイの表示は大きな実線の矢印で示すように更新され、実際のゴーストの低減処理は、破線の矢印で示す順に実行される。
【００２１】
それではまず、図１２を用いて電子書籍装置におけるゴーストの低減処理について説明する。上述したように、図１２に示す電子書籍装置では、制御回路及び記憶回路は１つしか設けられておらず、これらを用いて２つのディスプレイの更新が行われる。
【００２２】
図１２の上段左側に示されている電子書籍装置においては、現在のところ第１のディスプレイに「Ａ」が表示されており、第２のディスプレイには「Ｂ」が表示されている。また、記憶装置には「Ｂ」の画像情報が格納されている。上述したように、ここでは操作者は第１のディスプレイ、第２のディスプレイの順に読み進めるため、画像の更新も第１のディスプレイ、第２のディスプレイの順に実行される。従って、図１２に示す状態では、第１のディスプレイに「Ａ」が表示された後、第２のディスプレイに「Ｂ」が表示される。従って、記憶回路には、第２のディスプレイに表示されている「Ｂ」の画像情報が格納されていることになる。
【００２３】
ここで、第１のディスプレイに表示されている「Ａ」の画像を「Ｃ」の画像に更新する処理が開始される。そのため、記憶回路には、「Ｃ」の画像情報が格納される。
【００２４】
記憶回路に「Ｃ」の画像情報が格納される際にまず、電子書籍装置は、元々記憶回路に格納されていた「Ｂ」の画像情報を用いて、「Ａ」の画像が表示されている第１のディスプレイにおいて反転処理及び表示処理を行う。この状態を示したのが、下段の左側に示す電子書籍装置の図である。
【００２５】
下段の左側に示す電子書籍装置では、更新対象となる第１のディスプレイの表示が「Ａ」から反転表示されて「Ｂ」に更新されている状態が示されている。そして、記憶回路には新たに「Ｃ」の画像情報が格納されていることから、続けて第１のディスプレイには「Ｃ」が表示されることになる。これで第１のディスプレイの画像の更新が完了し、この時点では、第１のディスプレイには「Ｃ」が、第２のディスプレイにはそのまま「Ｂ」が表示されている。この状態は、図１２の上段の真ん中に示す電子書籍装置に現れている。
【００２６】
しかしながら、第１のディスプレイに示されている、更新された「Ｃ」の画像の下には、反転処理を行った「Ａ」の画像がゴーストとして表示されてしまっている。これは、記憶回路に格納されている画像情報（ここでは「Ｂ」の画像情報）と実際に第１のディスプレイに表示されている画像「Ａ」とが相違するからである。そのため、元々第１のディスプレイに表示されていた「Ａ」の画像が完全には消去されずゴーストとして残ってしまっている。
【００２７】
次に、第２のディスプレイに表示される画像の更新の処理である。図１２の上段の真ん中に示す電子書籍装置においては、第２のディスプレイにはこれまで更新されず、引き続き「Ｂ」の画像が表示されている。ここで、記憶装置には、第１のディスプレイに表示されている「Ｃ」の画像情報が格納されている。この記憶装置に、第２のディスプレイが更新されて表示される「Ｄ」の画像に関する画像情報が格納される。
【００２８】
電子書籍装置では、記憶回路に「Ｄ」の画像情報が記憶されることによって、画像の更新処理が開始されることを認識する。そこで記憶回路に「Ｄ」の画像情報が格納されると、まず、電子書籍装置は、元々記憶回路に格納されていた「Ｃ」の画像情報を用いて、「Ｂ」の画像が表示されている第２のディスプレイにおいて反転処理及び表示処理を行う。この状態を示したのが、下段の右側に示す電子書籍装置の図である。
【００２９】
下段の右側に示す電子書籍装置では、更新対象となる第２のディスプレイの表示が「Ｂ」から反転表示される「Ｃ」に更新されている状態が示されている。そして、記憶回路には新たに「Ｄ」の画像情報が格納されていることから、続けて第２のディスプレイには「Ｄ」が表示されることになる。これで第２のディスプレイの画像の更新が完了する。この時点では、第１のディスプレイには「Ｃ」が、第２のディスプレイには新たに「Ｄ」が表示されている。この状態は、図１２の上段の右側に示す電子書籍装置に現れている。
【００３０】
しかしながら、第２のディスプレイにおいても第１のディスプレイの更新と同様、実際に第２のディスプレイに表示されている画像（ここでは画像「Ｂ」）に対して、当該画像の画像情報とは相違する記憶回路に格納されている画像情報（ここでは「Ｃ」の画像情報）を用いて反転処理及び表示処理が実行される。そのため、第２のディスプレイに示されている、更新された「Ｄ」の画像の下には、元々第２のディスプレイに表示されていた「Ｂ」の画像がゴーストとして表示されてしまっている。
【００３１】
次に、図１３を用いて、電子書籍装置におけるゴーストの低減処理について説明する。上述したように、図１３に示す電子書籍装置では、２つのディスプレイごとにそれぞれ制御回路及び記憶回路が設けられている。
【００３２】
まず、第１のディスプレイに表示されている「Ａ」の画像を「Ｃ」の画像に更新する流れを説明する。第１のディスプレイ用に設けられている記憶回路には、現在第１のディスプレイに表示されている「Ａ」の画像情報が格納されている。この状態で、この記憶回路に更新後の第１のディスプレイに表示される「Ｃ」の画像情報が格納される。
【００３３】
第１のディスプレイの制御を行う制御回路は、記憶回路に記憶されている「Ａ」の画像情報に基づいて反転処理及び表示処理を行う。この状態は、図１３の下段、左側に示されている電子書籍装置に示されている。そしてさらに、記憶回路に新たに記憶された「Ｃ」の画像情報を基に第１のディスプレイに「Ｃ」の画像を表示させる（図１３の上段の真ん中に示されている電子書籍装置を参照）。
【００３４】
次に、第２のディスプレイに表示されている「Ｂ」の画像を「Ｄ」の画像に更新する処理が行われる。第２のディスプレイ用に設けられている記憶回路には、現在第２のディスプレイに表示されている「Ｂ」の画像情報が格納されている。この状態で、この記憶回路に更新後の第２のディスプレイに表示される「Ｄ」の画像情報が格納される。
【００３５】
第２のディスプレイの制御を行う制御回路は、記憶回路に記憶されている「Ｂ」の画像情報に基づいて反転処理及び表示処理を行う。この状態は、図１３の下段、右側に示されている電子書籍装置に示されている。そしてさらに、記憶回路に新たに記憶された「Ｄ」の画像情報を基に第２のディスプレイに「Ｄ」の画像を表示させる（図１３の上段の右側に示されている電子書籍装置を参照）。
【先行技術文献】
【特許文献】
【００３６】
【特許文献１】特開２０１５−００２５４５号公報
【発明の概要】
【発明が解決しようとする課題】
【００３７】
しかしながら、上述したゴーストの低減処理の方法については、それぞれ以下に説明するような弊害が生じうる。
【００３８】
まず、図１２を用いて説明した、２つのディスプレイを１つの制御回路及び記憶回路を用いて制御する場合、ディスプレイの画像を更新する際にゴーストが発生する可能性が高い。これは１つの記憶回路を用いてゴーストの低減処理を行うからである。
【００３９】
すなわち、更新の処理を行う際には、必ず更新対象となるディスプレイにおいて反転処理及び表示処理が行われる。上述したように、反転処理及び表示処理を行うのは、表示されている画像の画像情報と同じ画像情報を用いることでゴーストが生ずる可能性を低減させるためである。しかしながら、記憶回路が１つしか設けられていない場合には、図１２を用いて説明した通り、反転処理及び表示処理に用いる画像情報と、その時点で表示されている画像の画像情報とは異なる。そのため、ゴーストの低減が十分ではなくなる。
【００４０】
一方、図１３を用いて説明した、２つのディスプレイに対して制御回路及び記憶回路がそれぞれ１つずつ設けられている場合には、上述したような記憶回路が１つしか設けられていない場合における弊害は生じない。実際にディスプレイに表示されている画像の画像情報と反転処理及び表示処理に用いる画像情報とが一致するからである。
【００４１】
その一方で、ディスプレイの数だけ制御回路、記憶回路を設けると、電子表示装置のコストが増大する。また、装置全体における配線も複雑になり、消費電力も大きくなる。さらには、装置全体の重量も嵩み、小型化が困難となる可能性がある。
【００４２】
本発明は上記課題を解決するためになされたものであり、本発明の目的は、複数のディスプレイにおける画像の更新処理を行う際に、１つの制御回路、記憶回路を用いつつもゴーストの発生を十分に低減することができ、併せて、動作速度の維持も図ることができる電子表示装置及び電子表示方法を提供することである。
【課題を解決するための手段】
【００４３】
実施の形態における電子表示装置は、複数のディスプレイと、サブメモリと、制御回路とを備える。ディスプレイは、コンテンツを表示する。サブメモリは、ディスプレイに表示させる画像の画像情報を一時的に格納する。制御回路は、ディスプレイへの表示を制御する。また、制御回路は、ディスプレイに表示される画像の更新を行うに当たって、事前に、サブメモリに格納される画像情報を、現在更新対象となるディスプレイに表示されている画像の画像情報に書き換える。
【００４４】
実施の形態における電子表示方法は、電子表示装置を構成するディスプレイに表示される画像を更新するに際に、サブメモリに格納されている画像情報に基づいて画像の反転表示処理を行うステップと、サブメモリに格納されている画像情報を、現在更新対象となるディスプレイに表示されている画像の画像情報に書き換えて格納し、表示するステップと、書き換えられた現在更新対象となるディスプレイに表示されている画像の画像情報を、さらに、更新後にディスプレイに表示される画像の画像情報へ書き換えるステップと、更新後にディスプレイに表示される画像の画像情報に基づきディスプレイの表示を新たな画像に更新するステップとを備える。
【発明の効果】
【００４５】
本発明によれば、複数のディスプレイにおける画像の更新処理を行う際に、１つの制御回路、記憶回路を用いつつもゴーストの発生を十分に低減することができ、併せて、動作速度の維持も図ることができる電子表示装置及び電子表示方法を提供することができる。
【図面の簡単な説明】
【００４６】
【図１】実施の形態における電子書籍装置の構成の一例を示す外観斜視図であり、電子書籍装置を開いた状態で示す図である。
【図２】実施の形態における電子書籍装置の構成の一例を示す外観斜視図であり、電子書籍装置を閉じた状態で示す図である。
【図３】実施の形態における電子書籍装置の全体構成を機能的に示す機能ブロック図である。
【図４】実施の形態における電子書籍装置において実行されるゴーストの低減処理の流れを示すフローチャートである。
【図５】実施の形態における電子書籍装置において実行されるゴーストの低減処理の流れを示すフローチャートである。
【図６】実施の形態における電子書籍装置において実行されるゴーストの低減処理の流れを示す説明図である。
【図７】実施の形態における電子書籍装置において実行されるゴーストの低減処理の流れを示す説明図である。
【図８】実施の形態における電子書籍装置において実行される画像の更新処理の流れを示す説明図である。
【図９】実施の形態における電子書籍装置において実行される画像の更新処理の流れを示す説明図である。
【図１０】ゴーストが発生した状態を説明するための説明図である。
【図１１】ゴーストの低減処理を説明する説明図である。
【図１２】従来の電子書籍装置においてゴーストの低減処理を行う場合の処理の流れを示す模式図である。
【図１３】従来の電子書籍装置においてゴーストの低減処理を行う場合の処理の流れを示す模式図である。
【発明を実施するための形態】
【００４７】
以下、実施の形態について図面を参照して詳細に説明する。なお、以下においては、様々な電子表示装置の種類の中から電子書籍装置を例に挙げて説明を行う。
【００４８】
［電子書籍装置の構成］
図１は、実施の形態における電子書籍装置１の構成の一例を示す外観斜視図であり、電子書籍装置１を開いた状態で示す図である。また、図２は、実施の形態における電子書籍装置１の構成の一例を示す外観斜視図であり、電子書籍装置１を閉じた状態で示す図である。
【００４９】
電子書籍装置１は、電子表示装置の一種であり、電子的な情報として構成された様々なコンテンツをディスプレイに表示させて、操作者が当該ディスプレイに表示された文字や絵等を見る（読む）ために用いられる装置である。
【００５０】
本発明の実施の形態における電子書籍装置１は、例えば、図１に示すように、左右に２つのディスプレイを有している。本発明の実施の形態においては、２つのディスプレイのうち、図１において右側に示されているディスプレイを第１のディスプレイ２とする。また、左側に示されているディスプレイを第２のディスプレイ３とする。
【００５１】
電子書籍装置１は、第１のディスプレイ２が配置された略直方体形状の右側筐体２１と、第２のディスプレイ３が配置された略直方体形状の左側筐体３１とを備えている。また、本発明の実施の形態においては、第１のディスプレイ２及び第２のディスプレイ３の表示面は矩形状に形成されている。但し、電子書籍装置１を構成する筐体の形状、或いは、第１のディスプレイ２、第２のディスプレイ３の表示面の形状については、矩形状に限定されるものではない。従って、他の形状を採用していても良い。
【００５２】
図１の電子書籍装置１が示すように、電子書籍装置１は、右側筐体２１の第１のディスプレイ２と左側筐体３１の第２のディスプレイ３の表示面が左右に並んだ状態とすることも可能である。この状態は本を開いた形状を模しており、電子書籍装置１の使用時などに取られる状態である。
【００５３】
一方、図２に示すように、右側筐体２１の第１のディスプレイ２と左側筐体３１の第２のディスプレイ３の表示面同士を合わせると、右側筐体２１及び左側筐体３１が重なり合った状態となる。この状態は本を閉じた形状を模しており、電子書籍装置１が収納される際などに取られる状態である。
【００５４】
なお、図１に示すように、右側筐体２１と左側筐体３１とは、見開き可能に接続されている。そしてその接続部を軸として右側筐体２１と左側筐体３１とのそれぞれの面のなす角度を変えることにより、電子書籍装置１を開いた状態と閉じた状態のいずれかの状態に変えられるように構成されている。
【００５５】
図１に戻り、本発明の実施の形態における電子書籍装置１においては、右側筐体２１と左側筐体３１にそれぞれ入力装置４が設けられている。なお、図１においては、ボタン状に示されているが、入力装置４の構成、形状等についてはどのような構成、形状等を採用しても良い。また入力装置４が設けられる場所やその数についても任意に設定することができる。
【００５６】
図３は、実施の形態における電子書籍装置１の全体構成を機能的に示す機能ブロック図である。電子書籍装置１は、第１のディスプレイ２と、第２のディスプレイ３と、入力装置４と、メインメモリ５と、サブメモリ６と、制御回路７とを備えている。また、これらの各部は、バスＢによって信号のやり取りが可能なように接続されている。
【００５７】
第１のディスプレイ２及び第２のディスプレイ３は、後述する制御回路７の制御により、コンテンツの内容を表示させる。第１のディスプレイ２及び第２のディスプレイ３は、例えば、電気泳動方式等、電子書籍装置１として採用可能な構成を持つディスプレイである。
【００５８】
なお、本発明の実施の形態においては、上述したように、第１のディスプレイ２及び第２のディスプレイ３の２つのディスプレイを備えている。但し、ディスプレイの数は２つに限られず２以上の複数であれば良い。また、これら第１のディスプレイ２及び第２のディスプレイ３において、コンテンツをどのように表示させるかも任意に設定することができる。例えば、１つのディスプレイの表示領域を１つの表示領域とすることも、或いは、２以上の表示領域に分割してコンテンツを表示させることも可能である。
【００５９】
入力装置４は、電子書籍装置１を操作する操作者が、例えば電源を入れたり、或いは、ページ送り、ページ戻し等の各種操作を行うために使用する装置である。また、電子書籍装置１内に複数のコンテンツが記憶されている場合には、これら複数のコンテンツの表示を切り替えるために用いることもできる。
【００６０】
メインメモリ５は、例えば、半導体や磁気ディスクで構成されている。メインメモリ５には、電子書籍装置１で表示可能なコンテンツが記憶されている。メインメモリ５に記憶されるコンテンツの数は、メインメモリ５の容量によって定められる。また、メインメモリ５内には、電子書籍装置１において使用される各種プログラム等が記憶されていても良い。
【００６１】
サブメモリ６は、電子書籍装置１において画面の更新処理を行う際に、処理に必要な情報を格納する。すなわち、第１のディスプレイ２、第２のディスプレイ３に表示させる画像の画像情報を一時的に格納する。なお、ここで一時的に格納すると表したのは、画面の更新処理においてサブメモリ６内の画像情報は頻繁に書き換えられるからである。
【００６２】
なお、本発明の実施の形態における電子書籍装置１においては、情報を記憶する装置として、メインメモリ５とサブメモリ６とを設けた構成を採用している。しかし、このような構成ではなく、例えば、サブメモリ６の機能をメインメモリ５が備えていても良い。また、格納される情報の種類に応じて適宜記憶装置を設けることとしても良い。
【００６３】
また、特にコンテンツを記憶するメインメモリ５については、本発明の実施の形態のように、電子書籍装置１内に備えるのではなく、例えば、ＳＤカード等の外部記憶装置を用いることとしても良い。
【００６４】
制御回路７は、電子書籍装置１の各部を統合的に制御する。例えば、操作者によって電源が入力されることにより、第１のディスプレイ２及び第２のディスプレイ３に画像を表示させる。また、ゴーストの低減処理を行いつつ、適宜その画像の更新処理を行う。
【００６５】
なお、図３に示す電子書籍装置１においてはその構成に含めていないが、例えば、通信制御回路が設けられていても良い。当該通信制御回路を介して、例えばインターネット等の外部の通信ネットワークにアクセスすることが可能とされることによって、例えば、コンテンツをダウンロードする等の処理を行うこともできる。
【００６６】
なお例えば、制御回路７によるゴーストの低減処理や画像の更新処理については、所定のメモリや記憶回路等に記憶される、例えば、ゴースト低減処理プログラム等の各種プログラムをプロセッサに実行させることによって実現することも可能である。ここで本明細書における「プロセッサ」という文言は、例えば、専用又は汎用のＣＰＵ（Ｃｅｎｔｒａｌ  Ｐｒｏｃｅｓｓｉｎｇ  Ｕｎｉｔ）  ａｒｉｔｈｍｅｔｉｃ  ｃｉｒｃｕｉｔ（ｃｉｒｃｕｉｔｒｙ）、或いは、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）、プログラマブル論理デバイス（例えば、単純プログラマブル論理デバイス（Ｓｉｍｐｌｅ  Ｐｒｏｇｒａｍｍａｂｌｅ  Ｌｏｇｉｃ  Ｄｅｖｉｃｅ：ＳＰＬＤ）、複合プログラマブル論理デバイス（Ｃｏｍｐｌｅｘ  Ｐｒｏｇｒａｍｍａｂｌｅ  Ｌｏｇｉｃ  Ｄｅｖｉｃｅ：ＣＰＬＤ）、及びフィールドプログラマブルゲートアレイ（Ｆｉｅｌｄ  Ｐｒｏｇｒａｍｍａｂｌｅ  Ｇａｔｅ  Ａｒｒａｙ：ＦＰＧＡ））等の回路を意味する。
【００６７】
プロセッサは、例えば、メインメモリ５に保存された、又は、プロセッサの回路内に直接組み込まれたプログラムを読み出し実行することで機能を実現する。プログラムを記憶する記録回路は、プロセッサごとに個別に設けられるものであっても構わず、或いは、例えば、図３に示すメインメモリ５の構成を採用しても構わない。記憶回路の構成には、例えば、半導体や磁気ディスクといった一般的なＲＡＭ（Ｒａｎｄｏｍ  Ａｃｃｅｓｓ  Ｍｅｍｏｒｙ）やＨＤＤ（Ｈａｒｄ  Ｄｉｓｃ  Ｄｒｉｖｅ）、或いはＳＤカード等の記憶装置が適用される。
【００６８】
［動作］
次に、図４ないし図９を利用して、第１のディスプレイ２及び第２のディスプレイ３における画像の更新処理及びゴーストの低減処理について以下、説明する。ここで図４及び図５は、実施の形態における電子書籍装置において実行されるゴーストの低減処理の流れを示すフローチャートである。また、図６ないし図９は、実施の形態における電子書籍装置において実行されるゴーストの低減処理の流れを示す説明図である。
【００６９】
図６ないし図９のいずれにおいても、電子書籍装置１が開いた状態が示されている。見開きの状態にある電子書籍装置１においては、図１に示すように、左右に１つずつディスプレイが設けられている。２つのディスプレイのうち、右側のディスプレイが第１のディスプレイ２であり、左側のディスプレイが第２のディスプレイ３である。
【００７０】
上述したように、電子書籍装置１の操作者は、右側のページから左側のページ、或いは、左側のページから右側のページへと、いずれかの順序で読み進めることができる。ここでは、操作者が右側のページから左側のページへと読み進める場合を例に挙げて説明する。そこで、以下の説明においては、第１のディスプレイ２、第２のディスプレイ３の順に画像の更新処理が行われることを前提とする。
【００７１】
また、画像の更新処理及びゴーストの低減処理の開始時点では、第１のディスプレイ２には「Ａ」が、第２のディスプレイ３には「Ｂ」が表示されている。一方、画像の更新処理及びゴーストの低減処理の終了時点では、第１のディスプレイ２には「Ｃ」が、第２のディスプレイ３には「Ｄ」が表示される。
【００７２】
すなわち、図６及び図７の上段における画像の更新処理の流れに示されているように、第１のディスプレイ２は「Ａ」の表示内容が「Ｃ」に更新され、第２のディスプレイ３においては「Ｂ」の表示内容が「Ｄ」に更新される。
【００７３】
なお、このように、図６ないし図９においては、上段に実際に電子書籍装置のディスプレイの表示が更新される様子（画面遷移）が示されている。一方下段には、上段に示すディスプレイの表示が更新される間において行われるゴーストの低減処理について示している。
【００７４】
そして、更新処理の対象となるディスプレイについては破線で示し、更新処理の対象とはならないディスプレイについては実線で示している。また、各ディスプレイの表示は大きな実線の矢印で示すように更新され、実際のゴーストの低減処理は、破線の矢印で示す順に実行される。
【００７５】
また、図６ないし図９に示される電子書籍装置１のディスプレイの上部には、サブメモリ６が示されている。本発明の実施の形態に示す電子書籍装置１では、上述したように、サブメモリ６は１つのみ設けられている。ここでは、当該サブメモリ６及び制御回路７を用いて第１のディスプレイ２及び第２のディスプレイ３の２つのディスプレイの更新処理が行われる。
【００７６】
図６の説明図において、上段の左側に示されている電子書籍装置１が画像の更新処理及びゴーストの低減処理の開始時点の電子書籍装置１を示している。従って、上述した通り、第１のディスプレイ２には「Ａ」の画像が表示されており、第２のディスプレイ３には「Ｂ」の画像が表示されている。また、サブメモリ６には、第２のディスプレイ３の画面を更新した際の画像情報、すなわち、「Ｂ」の画像に関する画像情報が格納されている。この点が図６において吹き出しの中に「Ｂ」の文字が表示されることによって示されている。
【００７７】
この状態で画像の更新処理及びゴーストの低減処理が開始される。制御回路７は、例えば操作者が入力装置４を操作することによって送信された画像更新の信号を受信する（図４のＳＴ１）。制御回路７では、当該画像更新の信号を受信したことをトリガとして、ゴーストの低減処理を開始する。
【００７８】
なお、上述したように、前提として第１のディスプレイ２、第２のディスプレイ３の順に画像の更新処理が行われることから、まず第１のディスプレイ２に関してゴーストの低減処理を実行する。また、ゴーストの低減処理には、以下に説明するように、画像の反転処理と当該反転処理によって反転した画像の表示処理（以下、適宜「反転表示処理」と表す）、及び、サブメモリ６内の画像情報書き換え処理と当該書き換え処理に基づく、書き換えられた画像情報に基づく表示処理の大きく分けて２つの処理が含まれる。
【００７９】
まず、制御回路７は、第１のディスプレイ２において書き換えられる前の画像情報に基づいて反転表示処理を行う（ＳＴ２）。すなわち、サブメモリ６には元々画像「Ｂ」の画像情報が格納されている。そこで制御回路７では、書き換えられる前の画像情報である画像「Ｂ」の画像情報に基づいて第１のディスプレイ２の画像の反転処理を行う。そして上述した通り、ゴーストの低減処理の一環として反転処理が行われる場合にも、反転した画像に関する画像情報が生成され、画像の表示処理が行われる。
【００８０】
ここでの反転表示処理の状態を示しているのが、図６の下段における左側の電子書籍装置１である。図に示すように、サブメモリ６に格納されている画像情報（画像「Ｂ」の画像情報）に基づいて反転表示処理が行われると、第１のディスプレイ２には画像「Ｂ」の反転画像が表示される。
【００８１】
但し、反転表示処理を行う際に用いる画像情報は、画像「Ｂ」に関するものであり、この状態では現在第１のディスプレイ２に表示されている画像「Ａ」の画像情報とは一致しないため、ゴーストが発生する可能性が高くなる。
【００８２】
ここで、電子書籍装置１においては、制御回路７と第１のディスプレイ２及び第２のディスプレイ３とは、表示信号線で接続されており、制御回路７から第１のディスプレイ２及び第２のディスプレイ３に画像情報が送信される。そして、ゴーストの低減処理が実行されている間は、表示信号線はディセーブルの状態とされている。
【００８３】
すなわち、ゴーストの低減処理が実行される時点では、表示信号線はディセーブルの状態が維持されている。そのため、反転表示処理によって反転した画像に関する画像情報が生成され表示されても、表示信号線はディセーブルの状態にあるので、当該画像情報による画像は実際には第１のディスプレイ２には表示されない。
【００８４】
従って、図６の下段における左側の電子書籍装置１における第１のディスプレイ２に示されている画像「Ｂ」の反転画像は、実際には第１のディスプレイ２には表示されていないことになる。従って、あくまでも図６の下段における左側の電子書籍装置１の表示は、上述した反転表示処理の内容の理解を助けるための表示に過ぎず、この状態であっても実際の第１のディスプレイ２には、画像「Ａ」が継続して表示されている。
【００８５】
また、制御回路７は、ゴーストの低減処理において画像が表示される際の階調を、実際にディスプレイに画像情報に基づいて示される画像の階調よりも低くなるように制御する。すなわち、ここでは第１のディスプレイ２において、画像「Ａ」が画像「Ｃ」に更新されるが、制御回路７はゴーストの低減処理における画像の階調を更新後に第１のディスプレイ２に表示される画像「Ｃ」の階調よりも低くなるように制御する。例えば、更新後に第１のディスプレイ２に表示される画像「Ｃ」の階調が１６階調であるとすると、例えばゴーストの低減処理を行う際の画像の階調は２階調程度である。
【００８６】
そのため、図６の下段における左側の電子書籍装置１における第１のディスプレイ２に示されている画像「Ｂ」の反転画像についても、更新後に第１のディスプレイ２に表示される画像の階調よりも低い階調での表示処理がなされる。
【００８７】
そこで、次に制御回路７は、サブメモリ６に格納される画像情報を更新画面（第１のディスプレイ２）に表示されている画像の画像情報に書き換え、表示する処理を行う（ＳＴ３）。
【００８８】
図６に示すように、画像の更新処理及びゴーストの低減処理が開始された時点でサブメモリ６には、画像「Ｂ」の画像情報が格納されている。そこで、制御回路７は、メインメモリ５から第１のディスプレイ２に表示されている画像、すなわち、「Ａ」の画像情報を取得して書き換える。この状態は、図６の下段、真ん中に示されている電子書籍装置１に示されている。
【００８９】
ここでサブメモリ６に格納されている画像情報を画像「Ｂ」の画像情報から画像「Ａ」の画像情報に書き換える処理を行うのは次の理由からである。すなわち、上述したように、ディスプレイに表示されている画像の画像情報とサブメモリ６に格納されている画像情報とが一致していることがゴーストを低減する条件である。従って、ディスプレイに表示されている画像の画像情報とサブメモリ６に格納されている画像情報とが異なっている状態でゴーストの低減処理を行ってもゴーストの発生を低減させることは困難である。そのために、サブメモリ６に格納される画像情報がディスプレイに表示されている画像の画像情報と一致するようにこのような書き換えの処理を行うものである。
【００９０】
そして制御回路７は、書き換えられたディスプレイに表示されている画像の画像情報に基づいて第１のディスプレイ２に画像を表示させる。ここでは、サブメモリ６に格納されている画像情報を画像「Ｂ」の画像情報から画像「Ａ」の画像情報に書き換えているので、画像「Ａ」の画像情報に基づいて第１のディスプレイ２に画像「Ａ」を表示させる。
【００９１】
そして、ここでの画像「Ａ」の表示も更新後に第１のディスプレイ２に表示される画像「Ｃ」の階調よりも低い階調で行われる。このように、ゴーストの低減処理の際の表示処理における画像表示の階調を低く抑えることによって、画像の更新処理の処理速度が遅くなることを可能な限り回避することが可能となる。
【００９２】
但し、当該書き換え、表示の処理が行われる際も制御回路７と第１のディスプレイ２との間はディセーブルの状態にある。従って、サブメモリ６内の画像情報が画像「Ｂ」の画像情報から画像「Ａ」の画像情報に書き換えられ、当該画像「Ａ」の画像情報に基づいた表示の処理が行われても、第１のディスプレイ２にはこの表示処理に基づく画像「Ａ」は表示されない。
【００９３】
従って、図６の下段真ん中の電子書籍装置１における第１のディスプレイ２に示されている画像「Ａ」の画像は、実際には第１のディスプレイ２には表示されていないことになる。従って、あくまでも図６の下段における真ん中の電子書籍装置１の表示は、上述した書き換え及び表示処理の内容の理解を助けるための表示に過ぎず、この状態であっても実際の第１のディスプレイ２には、画像「Ａ」が継続して表示されている。
【００９４】
ここまでの処理で、サブメモリ６に格納される画像情報は、現在第１のディスプレイ２に表示されている画像「Ａ」の画像情報となり、ディスプレイに表示される画像とサブメモリ６に格納される画像情報とが一致することになる。すなわちここまでで、本発明の実施の形態におけるゴーストの低減処理が完了する。従って、この後引き続き画像の更新処理を行うに当たって、この状態で画像の反転処理を行うことで適切なゴースト低減の効果が得られることになる。
【００９５】
そこでここから画像「Ａ」を更新して第１のディスプレイ２に画像「Ｃ」を表示させる処理が開始される。まずそのために、制御回路７は、ディスプレイに接続される表示信号線をディセーブルの状態からイネーブルの状態へと切り替える（ＳＴ４）。上述したように、制御回路７とディスプレイとを接続する表示信号線は、通常はディセーブルの状態に維持されており、必要な場合に限ってイネーブルの状態へと変更される。
【００９６】
制御回路７は、現在第１のディスプレイ２に表示されている画像「Ａ」を書き換えられる前の画像情報である画像「Ａ」に関する画像情報を用いて反転処理及び表示処理を行う（ＳＴ５）。
【００９７】
図６の下段、右側に示されている電子書籍装置１は、書き換えられる前の画像情報である画像「Ａ」の画像情報に基づいて、第１のディスプレイ２の画像が反転され、表示されたことを示している。
【００９８】
ここで、第１のディスプレイ２に表示されている画像が「Ａ」であって、サブメモリ６に格納されている画像情報も画像「Ａ」に関する画像情報である。従って反転処理を行うことによって、画像が画像「Ａ」から画像「Ｃ」に更新される場合に発生しうるゴーストを適切に低減させることができる。
【００９９】
制御回路７は、さらに、第１のディスプレイ２に表示される画像を画像「Ａ」から画像「Ｃ」に更新するべく、サブメモリ６に格納される画像情報を画像「Ａ」の画像情報から画像「Ｃ」の画像情報へと書き換える（ＳＴ６）。図６の下段、右側に示されている電子書籍装置１は、サブメモリ６に格納されている画像情報が「Ａ」のものから「Ｃ」のものに書き換えられたことを示している。
【０１００】
そして、既に第１のディスプレイ２に接続される表示信号線は、イネーブルの状態にある。そこで、制御回路７は、書き換えられてサブメモリ６に格納されている画像「Ｃ」の画像情報に基づいて、第１のディスプレイ２に画像「Ｃ」を表示させる（ＳＴ７）。この状態を図６の上段右側の電子書籍装置１が示している。
【０１０１】
なお、併せて制御回路７は、第１のディスプレイ２に接続される接続信号線をイネーブルの状態からディセーブルの状態へと切り替える（ＳＴ８）。
【０１０２】
以上で、第１のディスプレイ２の表示を画像「Ａ」から画像「Ｃ」に更新する処理が完了した。次は、第２のディスプレイ３の表示を画像「Ｂ」から画像「Ｄ」に更新する処理である。
【０１０３】
図７の説明図において、上段の左側に示されている電子書籍装置１が第２のディスプレイ３における画像「Ｂ」を画像「Ｄ」に更新する処理及びゴーストの低減処理の開始時点の電子書籍装置１を示している。また、サブメモリ６には、第１のディスプレイ２の画面を更新した際の画像情報、すなわち、「Ｃ」の画像に関する画像情報が格納されている。この点が図７において吹き出しの中に「Ｃ」の文字が表示されることによって示されている。
【０１０４】
この状態で第２のディスプレイ３における画像の更新処理及びゴーストの低減処理が開始される。まず、制御回路７は、第１のディスプレイ２の画像の更新処理、ゴーストの低減処理が終了したことに引き続き、更新画面の画像を書き換えられる前の画像情報に基づいて反転表示処理を行う（図５のＳＴ９）。
【０１０５】
すなわち、サブメモリ６には元々画像「Ｃ」の画像情報が格納されている。そこで制御回路７では、書き換えられる前の画像情報である画像「Ｃ」の画像情報に基づいて第２のディスプレイ３の画像の反転処理を行う。また、反転した画像に関する画像情報が生成され、画像の表示処理が行われる。
【０１０６】
なお、図７においては、図６の下段左側に示したような図の表示は省略している。但し、上述したように、第２のディスプレイ３においては、書き換えられる前の画像情報である画像「Ｃ」の画像情報に基づいて第２のディスプレイ３の画像の反転表示処理が行われる。
【０１０７】
このように、ゴーストの低減処理は、ここでは画像「Ｃ」の画像情報に基づいて行われる。そのため、現在第２のディスプレイ３に表示されている画像「Ｂ」の画像情報とは一致しないため、ゴーストが発生する可能性が高くなる。但し、上述した通り、表示信号線の状態はディセーブルの状態にあることから、当該表示処理に基づいて生成される画像情報に基づく画像は実際にはディスプレイには表示されない。
【０１０８】
また、制御回路７はゴーストの低減処理における上述した画像「Ｃ」の階調を、更新後に第２のディスプレイ３に表示される画像「Ｄ」の階調よりも低くなるように制御する。例えば、更新後に第２のディスプレイ３に表示される画像「Ｄ」の階調が１６階調であるとすると、例えば画像「Ｃ」の反転表示処理における画像の階調は２階調程度である。
【０１０９】
このように、ゴーストの低減処理の際の表示処理における画像表示の階調を低く抑えることによって、画像の更新処理の処理速度が遅くなることを可能な限り回避することが可能となる。
【０１１０】
第２のディスプレイ３においては、画像「Ｂ」が画像「Ｄ」に更新される。そこで制御回路７は、サブメモリ６に格納される画像情報を更新画面（第２のディスプレイ３）に表示されている画像の画像情報に書き換え、表示する処理を行う（ＳＴ１０）。
【０１１１】
図７に示すように、第２のディスプレイ３における画像の更新処理及びゴーストの低減処理が開始された時点でサブメモリ６には、画像「Ｃ」の画像情報が格納されている。そこで、制御回路７は、メインメモリ５から第２のディスプレイ３に表示されている画像、すなわち、「Ｂ」の画像情報を取得して書き換える。この状態は、図７の下段、左側に示されている電子書籍装置１に示されている。
【０１１２】
そして制御回路７は、書き換えられたディスプレイに表示されている画像の画像情報に基づいて第２のディスプレイ３に画像を表示させる。ここでは、サブメモリ６に格納されている画像情報を画像「Ｃ」の画像情報から画像「Ｂ」の画像情報に書き換えているので、画像「Ｂ」の画像情報に基づいて第２のディスプレイ３に画像「Ｂ」を表示させる。そして、ここでの画像「Ｂ」の表示も更新後に第２のディスプレイ３に表示される画像「Ｄ」の階調よりも低い階調で行われるのは上述した通りである。
【０１１３】
但し、当該書き換え、表示の処理が行われる際も制御回路７と第２のディスプレイ３との間はディセーブルの状態にある。従って、サブメモリ６内の画像情報が画像「Ｃ」の画像情報から画像「Ｂ」の画像情報に書き換えられ、当該画像「Ｂ」の画像情報に基づいた表示の処理が行われても、第２のディスプレイ３にはこの表示処理に基づく画像「Ｂ」は表示されない。
【０１１４】
従って、図７の下段左側の電子書籍装置１における第２のディスプレイ３に示されている画像「Ｂ」の画像は、実際には第２のディスプレイ３には表示されていないことになる。従って、あくまでも図７の下段における左側の電子書籍装置１の表示は、上述した書き換え及び表示処理の内容の理解を助けるための表示に過ぎず、この状態であっても実際の第２のディスプレイ３には、画像「Ｂ」が継続して表示されている。
【０１１５】
ここまでの処理で、サブメモリ６に格納される画像情報は、現在第２のディスプレイ３に表示されている画像「Ｂ」の画像情報となる。すなわち、ディスプレイに表示される画像とサブメモリ６に格納される画像情報とが一致することになる。すなわちここまでで、本発明の実施の形態におけるゴーストの低減処理が完了する。従って、この後引き続き画像の更新処理を行うに当たって、この状態で画像の反転処理を行うことで適切なゴースト低減の効果が得られることになる。
【０１１６】
そこでここから画像「Ｂ」を更新して第２のディスプレイ３に画像「Ｄ」を表示させる処理が開始される。まずそのために、制御回路７は、ディスプレイに接続される表示信号線をディセーブルの状態からイネーブルの状態へと切り替える（ＳＴ１１）。
【０１１７】
制御回路７は、まず、現在第２のディスプレイ３に表示されている画像「Ｂ」を書き換えられる前の画像情報である画像「Ｂ」に関する画像情報を用いて反転処理及び表示処理を行う（ＳＴ１２）。
【０１１８】
また、制御回路７は、さらに、第２のディスプレイ３に表示される画像を画像「Ｂ」から画像「Ｄ」に更新するべく、サブメモリ６に格納される画像情報を画像「Ｂ」の画像情報から画像「Ｄ」の画像情報へと書き換える（ＳＴ１３）。
【０１１９】
図７の下段、真ん中に示されている電子書籍装置１は、書き換えられる前の画像情報である画像「Ｂ」の画像情報に基づいて、第２のディスプレイ３の画像が反転処理及び表示処理されたこと、及び、サブメモリ６に格納されている画像情報が「Ｂ」のものから「Ｄ」のものに書き換えられたことを示している。
【０１２０】
ここで、第２のディスプレイ３に表示されている画像が「Ｂ」であって、サブメモリ６に格納されている画像情報も画像「Ｂ」に関する画像情報であるので、反転処理及び表示処理を行うことによって、画像が画像「Ｂ」から画像「Ｄ」に更新される場合に発生しうるゴーストを適切に低減させることができる。
【０１２１】
そして、既に第２のディスプレイ３に接続される表示信号線は、イネーブルの状態にある。制御回路７は、書き換えられてサブメモリ６に格納されている画像「Ｄ」の画像情報に基づいて、第２のディスプレイ３に画像「Ｄ」を表示させる（ＳＴ１４）。この状態は図７の上段右側の電子書籍装置１に示されている。
【０１２２】
ここまでの処理が完了すると、併せて制御回路７は、ディスプレイに接続される接続信号線をイネーブルの状態からディセーブルの状態へと切り替える（ＳＴ１５）。以上で第２のディスプレイ３における画像が、画像「Ｂ」から画像「Ｄ」へと更新された。
【０１２３】
但し、画像の更新処理及びゴーストの低減処理という一連の処理はまだ続く。すなわち、この状態で一連の処理を完了させても良いが、この場合、次に画像の更新処理が開始される際には、これまで説明してきた全ての工程を改めて最初からやり直さなければならない。そこで少しでも処理時間の短縮を図るべく、引き続き処理を継続する。
【０１２４】
具体的には、以下の処理までを行って一連の処理を完了させる。すなわち、第２のディスプレイ３における画像の更新処理が終了した後は、操作者が第１のディスプレイ２及び第２のディスプレイ３に表示されている画像を読み終わって再度画像の更新処理の指示を出すまで間がある。その間、画像の更新処理及びゴーストの低減処理は一旦待機となる。
【０１２５】
そして再度更新処理の指示が出されると、改めて、第１のディスプレイ２の画像の更新処理が開始されることになる。なお、ここでは第１のディスプレイ２を更新画面として更新処理及びゴーストの低減処理が行われることについては、ディスプレイに表示されるページが送られる、戻る、いずれの処理が行われても変わらない。
【０１２６】
そこで、迅速に第１のディスプレイ２の画像の更新を行えるように、待機している時間を利用して準備を行う。制御回路７は、まず次に更新処理が行われる第１のディスプレイ２に対する準備を行う。
【０１２７】
なお、第１のディスプレイ２においては、画像「Ｃ」が別の画像へと更新される。ここで更新後の画像については、操作者が入力装置４を介して、ページを進めるのか、ページを戻すのか、によって異なる。但しいずれにしろ、更新の処理は実行される。
【０１２８】
まず、制御回路７は、更新画面の画像を書き換えられる前の画像情報に基づいて反転表示処理を行う（ＳＴ１６）。すなわち、サブメモリ６には元々画像「Ｄ」の画像情報が格納されているので、制御回路７では、書き換えられる前の画像情報である画像「Ｄ」の画像情報に基づいて第１のディスプレイ２の画像の反転表示処理を行う。
【０１２９】
次に制御回路７は、サブメモリ６に格納される画像情報を更新画面（第１のディスプレイ２）に表示されている画像の画像情報に書き換え、表示する処理を行う（ＳＴ１７）。
【０１３０】
なお、当該反転表示処理及び書き換え、表示処理を含む、ゴーストの低減処理を行うに当たって、ディスプレイに接続され、ディスプレイに画像情報を送信する表示信号線をディセーブルの状態に維持しておくことについては上述した通りである。また、表示処理における画像の階調は、更新後に第１のディスプレイ２に表示される新たな画像の階調よりも低くなるように制御されることについても同様である。
【０１３１】
図７の上段右側の電子書籍装置１に示すように、再度第１のディスプレイ２における画像の更新処理及びゴーストの低減処理が開始される時点では、サブメモリ６には画像「Ｄ」の画像情報が格納されている。そこで、制御回路７は、第１のディスプレイ２に表示されている画像「Ｃ」の画像情報に書き換える。この状態は、図７の下段、右側に示されている電子書籍装置１に示されている。
【０１３２】
ここまでの処理で、サブメモリ６に格納される画像情報は、現在第１のディスプレイ２に表示されている画像「Ｃ」の画像情報となる。すなわち、ディスプレイに表示される画像とサブメモリ６に格納される画像情報とが一致することになる。従って、この状態で画像の反転処理を行うことで適切なゴースト低減の効果が得られることになる。そこでここまでの処理を行って準備を完了させる。
【０１３３】
このように、操作者が第１のディスプレイ２及び第２のディスプレイ３に表示されている画像を読み終わって再度画像の更新処理の指示を出すまでの時間を利用して次の更新処理の準備を行っておくことで、この後の更新処理が迅速に進められる。
【０１３４】
そして、制御回路７では、操作者による画面更新の信号を受信したか否かを確認する（ＳＴ１８）信号を受信しない場合には（ＳＴ１８のＮＯ）、新たに信号を受信するまで待機となる。また、操作者から新たに画面更新の信号を受信した場合には（ＳＴ１８のＹＥＳ）、改めて図４のステップＳＴ２に戻って画像の更新処理及びゴーストの低減処理が開始される。以上で、画像の更新処理及びゴーストの低減処理の一連の処理が完了する。
【０１３５】
図８、図９は、実施の形態における電子書籍装置１において実行される画像の更新処理の流れを示す説明図である。具体的には、図８は、上述した一連の処理が完了した後に、操作者がページ送りの操作を行った場合の画像の更新処理の一部を示した説明図である。一方、図９は、上述した一連の処理が完了した後に、操作者がページ戻しの操作を行った場合の画像の更新処理の一部を示した説明図である。
【０１３６】
すなわち、図８に示す電子書籍装置１においては、操作者が入力装置４を操作して、ページ送りの操作が行われた状態が示されている。従って、ページ送りが行われると、現時点で第１のディスプレイ２に表示されている画像「Ｃ」が画像「Ｅ」に、第２のディスプレイ３に表示されている画像「Ｄ」が画像「Ｆ」に更新されることになる。
【０１３７】
図８においては、第１のディスプレイ２における画像の更新処理のみが示されている。上述したように、まずサブメモリ６に格納されている画像情報を画像「Ｃ」に関する画像情報から「Ｅ」の画像情報へと更新する。そして、画像「Ｃ」に関する画像情報を基に画像の反転処理、画像「Ｅ」の表示処理が行われる。
【０１３８】
ここで上述したように、操作者によってページ送りの操作がなされた際には、サブメモリ６に格納されている画像情報は、既に画像「Ｄ」に関する画像情報から画像「Ｃ」に関する画像情報へと書き換えられている。そのため、画像「Ｃ」に関する画像情報を基にゴーストの低減処理を迅速に行うことができる。
【０１３９】
一方、図９に示す電子書籍装置１においては、操作者が入力装置４を操作して、ページ戻しの操作が行われた状態が示されている。従って、ページ戻しが行われると、現時点で第１のディスプレイ２に表示されている画像「Ｃ」が画像「Ａ」に、第２のディスプレイ３に表示されている画像「Ｄ」が画像「Ｂ」に更新されることになる。
【０１４０】
図９においては、第１のディスプレイ２における画像の更新処理のみが示されている。上述したように、まずサブメモリ６に格納されている画像情報を画像「Ｃ」に関する画像情報から「Ａ」の画像情報へと更新する。そして、画像「Ｃ」に関する画像情報を基に画像の反転処理、画像「Ａ」の表示処理が行われる。
【０１４１】
ここで上述したように、操作者によってページ戻しの操作がなされた際には、サブメモリ６に格納されている画像情報は、既に画像「Ｄ」に関する画像情報から画像「Ｃ」に関する画像情報へと書き換えられている。そのため、画像「Ｃ」に関する画像情報を基に改めてゴーストの低減処理を行う必要がなくなる。
【０１４２】
すなわち、上述した図４及び図５に示すフローチャートを用いて説明すると、上述した準備の流れを示す図５のステップＳＴ１６及びステップＳＴ１７での処理は、図４に示すステップＳＴ２及びステップＳＴ３の処理に該当する。そのために操作者によってページ送り、或いは、ページ戻しの操作がなされると、図４に示すステップＳＴ２及びステップＳＴ３の処理をスキップしてすぐに第１のディスプレイ２への画像の更新処理（図４のＳＴ４〜）に進むことができる。そのため、結果として全体の処理の迅速化が図ることができる。
【０１４３】
なお、図９では、操作者によるページ戻しの操作が行われた場合もこれまでの説明における前提条件通り、第１のディスプレイ２、第２のディスプレイ３の順に画像の更新処理及びゴーストの低減処理が行われるとして説明を行った。但し、例えば、ページ戻しの操作が行われた際には、第１のディスプレイ２、第２のディスプレイ３の順ではなく、反対に、第２のディスプレイ３、第１のディスプレイ２の順に画像の更新処理及びゴーストの低減処理が行われることとしても良い。
【０１４４】
この場合、図５のステップＳＴ１６及びステップＳＴ１７で説明した準備の処理は生かすことができない。すなわち、ここでの準備は、あくまでも第１のディスプレイ２が第２のディスプレイ３よりも先に画像の更新処理及びゴーストの低減処理の対象になることを前提にしているからである。従って、ページ戻しの操作が行われた際には、第２のディスプレイ３、第１のディスプレイ２の順に画像の更新処理及びゴーストの低減処理が行われるとした場合には、図５に示すステップＳＴ１６及びステップＳＴ１７の準備の処理が行われても、改めて第２のディスプレイ３に対する図４のステップＳＴ２及びステップＳＴ３に示すゴーストの低減処理を実行する。
【０１４５】
以上説明してきた構成、処理を行うことで、複数のディスプレイにおける画像の更新処理を行う際に、１つの制御回路、記憶回路を用いつつもゴーストの発生を十分に低減することができる電子表示装置及び電子表示方法を提供することができる。
【０１４６】
特に上述したゴーストの低減処理を行うことで、実際にディスプレイに画像を表示させる際におけるゴーストを低減させることができる。また、ゴーストの低減処理自体においても反転処理及び表示処理において階調を落とした処理を行うことで、動作速度の維持を図ることができる。
【０１４７】
以上、本発明の実施形態を説明したが、これらの実施形態は、例として提示したものであり、発明の範囲を限定することを意図していない。これらの実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【０１４８】
１      電子書籍装置
２      第１のディスプレイ
３      第２のディスプレイ
４      入力装置
５      メインメモリ
６      サブメモリ
７      制御回路
【図１】
2019148671.tif 000003
【図２】
2019148671.tif 000004
【図３】
2019148671.tif 000005
【図４】
2019148671.tif 000006
【図５】
2019148671.tif 000007
【図６】
2019148671.tif 000008
【図７】
2019148671.tif 000009
【図８】
2019148671.tif 000010
【図９】
2019148671.tif 000011
【図１０】
2019148671.tif 000012
【図１１】
2019148671.tif 000013
【図１２】
2019148671.tif 000014
【図１３】
2019148671.tif 000015